(57)【要約】      （修正有）【課題】時計の時刻が正確かどうかを使用者が把握可能な電子機器のプログラムを提供する。【解決手段】操作ボタン１７の押下により電子時計１００が通信モードに遷移し、携帯機器２００において通信用のアプリケーションが起動されると、携帯機器２００は、電子時計１００から電子時計１００の時刻データを取得し、表示部２０３の現在時刻アナログ表示欄２１１に、ＧＰＳ時刻データに基づく時刻を表示すると共に、表示部２０３の電子時計時刻表示欄２１２に、電子時計１００の時刻データに基づく時刻を表示する。【選択図】図７
2015184102.tif 000002
【特許請求の範囲】
【請求項１】
時計と通信を行う通信部及び情報を表示する表示部を備えた電子機器で用いられるプロ
グラムであって、
前記電子機器を、
前記通信部を用いて前記時計で表示する時刻を示す時計時刻情報を前記時計から取得す
る取得部と、
当該電子機器で管理する時刻を示す基準時刻情報と前記時計時刻情報とを前記表示部に
表示させる制御部として機能させる、
ことを特徴とする電子機器のプログラム。
【請求項２】
前記電子機器は、使用者の指示を受け付ける入力部を備え、
前記制御部は、前記表示部に前記基準時刻情報と前記時計時刻情報とが表示されている
状態で、使用者が前記入力部を用いて前記時計時刻情報を前記基準時刻情報に更新する指
示を入力すると、前記時計時刻情報を前記基準時刻情報に更新する要求を前記時計に送信
するように前記通信部を制御する、
ことを特徴とする請求項１に記載の電子機器のプログラム。
【請求項３】
前記制御部は、前記基準時刻情報に更新した前記時計時刻情報を前記表示部に表示させ
る、
ことを特徴とする請求項２に記載の電子機器のプログラム。
【請求項４】
前記制御部は、前記基準時刻情報に対して使用者が設定した所定時間だけずれた時刻を
示す設定時刻情報を、前記基準時刻情報と共に、前記表示部に表示させる、
ことを特徴とする請求項１に記載の電子機器のプログラム。
【請求項５】
前記制御部は、前記時計時刻情報を前記設定時刻情報に更新する要求を前記時計に送信
するように前記通信部を制御する、
ことを特徴とする請求項４に記載の電子機器のプログラム。
【請求項６】
前記制御部は、前記基準時刻情報と前記時計時刻情報と、直近に時刻修正が行われた時
刻からの経過時間とから、前記時計の時刻精度を算出する、
ことを特徴とする請求項１乃至請求項５のいずれか１項に記載の電子機器のプログラム
【請求項７】
前記制御部は、前記時刻精度に基づいて、前記時計時刻情報の前記基準時刻情報への更
新を促す表示を前記表示部に表示させる、
ことを特徴とする請求項６に記載の電子機器のプログラム。
【請求項８】
電子機器と通信可能な時計であって、
前記時計で表示する時刻を示す時計時刻情報を前記電子機器に送信し、前記電子機器で
管理される時刻を示す基準時刻情報を前記電子機器から受信する通信部と、
前記電子機器からの前記時計時刻情報の前記基準時刻情報への更新の指示があった場合
には、時刻修正を行う時刻情報管理部と、
を備えることを特徴とする時計。
【請求項９】
時計と、当該時計と通信可能な電子機器とを備える通信システムであって、
前記電子機器は、
前記通信部を用いて前記時計で表示する時刻を示す時計時刻情報を前記時計から取得す
る取得部と、
当該電子機器で管理する時刻を示す基準時刻情報と前記時計時刻情報とを前記表示部に
表示させる制御部とを備え、
前記制御部は、前記表示部に前記基準時刻情報と前記時計時刻情報とが表示されている
状態で、使用者が前記入力部を用いて前記時計時刻情報を前記基準時刻情報に更新する指
示を入力すると、前記時計時刻情報を前記基準時刻情報に更新する要求を前記時計に送信
するように前記通信部を制御し、
前記時計は、
前記時計時刻情報を前記電子機器に送信し、前記基準時刻情報を前記電子機器から受信
する通信部と、
前記電子機器からの前記時計時刻情報の前記基準時刻情報への更新の指示があった場合
には、時刻修正を行う時刻情報管理部とを備える、
ことを特徴とする通信システム。
【発明の詳細な説明】
【技術分野】
【０００１】
本発明は、時計と近距離無線通信を行う電子機器のプログラム、近距離無線通信機能を
備えた時計、及び前記時計と前記電子機器を備える通信システムに関する。
【背景技術】
【０００２】
電子機器間の近距離無線通信技術としては、Ｂｌｕｅｔｏｏｔｈ（登録商標）が知られ
ている。例えば、携帯電話と時計との間でＢｌｕｅｔｏｏｔｈ（登録商標）の規格に従っ
た無線通信を行い、腕時計の時刻を携帯電話の時刻に合わせる機能が開示されている（特
許文献１）。
【先行技術文献】
【特許文献】
【０００３】
【特許文献１】特開２００９−１１８４０３号公報
【発明の概要】
【発明が解決しようとする課題】
【０００４】
しかしながら、特許文献１の技術では、腕時計の時刻が携帯電話の時刻からどの程度ず
れているのか、あるいは腕時計の時刻が正確なのかを使用者が把握することができなかっ
た。また、特許文献１の技術では、腕時計の時刻の修正は自動的に行われ、使用者による
修正の指示を行うことができなかった。
【０００５】
本発明は、上述した事情に鑑みてなされたものであり、時計の時刻が正確かどうかを使
用者が把握することができ、また、使用者の指示に基づいて時刻修正を行うことのできる
時計、及びこのような時計と通信を行うための電子機器のプログラム、並びに時計と電子
機器とを備える通信システムを提供することを解決課題としている。
【課題を解決するための手段】
【０００６】
以上の課題を解決するため、本発明に係る電子機器のプログラムは、時計と通信を行う
通信部及び情報を表示する表示部を備えた電子機器で用いられるプログラムであって、前
記電子機器を、前記通信部を用いて前記時計で表示する時刻を示す時計時刻情報を前記時
計から取得する取得部と、当該電子機器で管理する時刻を示す基準時刻情報と前記時計時
刻情報とを前記表示部に表示させる制御部として機能させることを特徴とする。
【０００７】
本発明のプログラムをコンピュータに実行させることにより、電子機器の取得部は、通
信部を用いて時計で表示する時刻を示す時計時刻情報を前記時計から取得する。また、電
子機器の制御部は、当該電子機器で管理する時刻を示す基準時刻情報と前記時計時刻情報
とを表示部に表示させる。したがって、使用者は、表示部において基準時刻情報と時計時
刻情報との双方を比較することでき、時計の精度を把握することができる。本発明におい
て、「電子機器」は、スマートフォン、携帯電話等の携帯機器、パーソナルコンピュータ
等を含む概念である。本発明において、「時計」は、アナログ式の腕時計、指針をデジタ
ルで表示する腕時計、置き時計、掛け時計、車載用の時計等を含む概念である。
【０００８】
上述した電子機器のプログラムにおいて、前記電子機器は、使用者の指示を受け付ける
入力部を備え、前記制御部は、前記表示部に前記基準時刻情報と前記時計時刻情報とが表
示されている状態で、使用者が前記入力部を用いて前記時計時刻情報を前記基準時刻情報
に更新する指示を入力すると、前記時計時刻情報を前記基準時刻情報に更新する要求を前
記時計に送信するように前記通信部を制御するようにしてもよい。
この場合には、時計時刻情報を基準時刻情報に更新する指示が、入力部において使用者
により入力されると、制御部は、時計時刻情報を基準時刻情報に更新する要求を時計に送
信するように通信部を制御する。したがって、使用者の意思に基づいて時刻修正を行うこ
とができる。本発明において、「基準時刻情報」は、ＧＰＳ時刻データに基づく時刻情報
を含む概念である。
【０００９】
上述したプログラムにおいて、前記制御部は、前記基準時刻情報に更新した前記時計時
刻情報を前記表示部に表示させるようにしてもよい。この場合には、使用者は、表示部に
おいて時刻修正が行われたことを容易に確認することができる。
【００１０】
上述したプログラムにおいて、前記制御部は、前記基準時刻情報に対して使用者が設定
した所定時間だけずれた時刻を示す設定時刻情報を、前記基準時刻情報と共に、前記表示
部に表示させるようにしてもよい。この場合には、使用者の希望する時刻、例えば基準時
刻よりも常に５分進んだ時刻等に修正時刻を設定することができる。
【００１１】
上述したプログラムにおいて、前記制御部は、前記時計時刻情報を前記設定時刻情報に
更新する要求を前記時計に送信するように前記通信部を制御するようにしてもよい。この
場合には、使用者の希望する時刻、例えば基準時刻よりも常に５分進んだ時刻等に時刻を
修正することができる。
【００１２】
上述したプログラムにおいて、前記制御部は、前記基準時刻情報と前記時計時刻情報と
、直近に時刻修正が行われた時刻からの経過時間とから、前記時計の時刻精度を算出する
ようにしてもよい。この場合には、電子機器と時計の通信が行われていない場合でも、電
子機器の時刻を推定することができる。
【００１３】
上述したプログラムにおいて、前記制御部は、前記時刻精度に基づいて、前記時計時刻
情報の前記基準時刻情報への更新を促す表示を前記表示部に表示させるようにしてもよい
。この場合には、適切な時期に時刻修正の実行を促すことが可能になり、また、消費電力
の低減を図ることができる。
【００１４】
以上の課題を解決するため、本発明に係る時計は、電子機器と通信可能な時計であって
、前記時計で表示する時刻を示す時計時刻情報を前記電子機器に送信し、前記電子機器で
管理される時刻を示す基準時刻情報を前記電子機器から受信する通信部と、前記電子機器
からの前記時計時刻情報の前記基準時刻情報への更新の指示があった場合には、時刻修正
を行う時刻情報管理部とを備えることを特徴とする。
【００１５】
本発明によれば、通信部は、時計で表示する時刻を示す時計時刻情報を電子機器に送信
すると共に、電子機器で管理される時刻を示す基準時刻情報を受信する。そして、時刻情
報管理部は、電子機器からの時計時刻情報の基準時刻情報への更新の指示があった場合に
は、時計時刻情報を基準時刻情報に更新する。したがって、使用者の意思に基づいて時刻
修正を行う構成が可能となる。
【００１６】
以上の課題を解決するため、本発明に係る通信システムは、時計と、当該時計と通信可
能な電子機器とを備える通信システムであって、前記電子機器は、前記通信部を用いて前
記時計で表示する時刻を示す時計時刻情報を前記時計から取得する取得部と、当該電子機
器で管理する時刻を示す基準時刻情報と前記時計時刻情報とを前記表示部に表示させる制
御部とを備え、前記制御部は、前記表示部に前記基準時刻情報と前記時計時刻情報とが表
示されている状態で、使用者が前記入力部を用いて前記時計時刻情報を前記基準時刻情報
に更新する指示を入力すると、前記時計時刻情報を前記基準時刻情報に更新する要求を前
記時計に送信するように前記通信部を制御し、前記時計は、前記時計時刻情報を前記電子
機器に送信し、前記基準時刻情報を前記電子機器から受信する通信部と、前記電子機器か
らの前記時計時刻情報の前記基準時刻情報への更新の指示があった場合には、時刻修正を
行う時刻情報管理部とを備えることを特徴とする。
【００１７】
本発明によれば、時計の通信部が、時計で表示する時刻を示す時計時刻情報を電子機器
に送信すると、電子機器の取得部は、通信部を用いて前記時計時刻情報を前記時計から取
得する。電子機器の制御部は、当該電子機器で管理する時刻を示す基準時刻情報と前記時
計時刻情報とを表示部に表示させる。電子機器の制御部は、前記時計時刻情報を前記基準
時刻情報に更新する指示が、入力部において使用者により入力されると、前記時計時刻情
報を前記基準時刻情報に更新する要求を時計に送信するように通信部を制御する。時計の
通信部は、電子機器から送信された前記基準時刻情報を受信し、時刻情報管理部は、電子
機器からの前記時計時刻情報の前記基準時刻情報への更新の指示があった場合には、前記
時計時刻情報を前記基準時刻情報に更新する。したがって、使用者は、表示部において基
準時刻情報と時計時刻情報との双方を比較することでき、時計の精度を把握することがで
きる。また、使用者の意思に基づいて時刻修正を行うことができる。
【図面の簡単な説明】
【００１８】
【図１】本発明の第１実施形態に係る電子時計の外観を示す平面図である。
【図２】電子時計の電気的構成を示すブロック図である。
【図３】携帯機器の電気的構成及び本発明の通信システムを示すブロック図である。
【図４】電子時計と携帯機器との通信処理及び表示処理を示すフローチャートである。
【図５】携帯機器と電子時計が通信状態にある場合のデータ送受信の態様を示す図である。
【図６】電子時計における通信状態と動作電圧の関係を示す図である。
【図７】時刻比較表示の一例を示す図である。
【図８】時刻比較表示の一例を示す図である。
【図９】時刻比較表示の一例を示す図である。
【図１０】本発明の第２実施形態に係る電子時計と携帯機器との通信処理及び表示処理を示すフローチャートである。
【図１１】本発明の第３実施形態に係る電子時計と携帯機器との通信処理及び表示処理を示すフローチャートである。
【図１２】変形例における時刻比較表示の一例を示す図である。
【図１３】時刻比較表示の一例を示す図である。
【図１４】時刻比較表示の一例を示す図である。
【発明を実施するための形態】
【００１９】
以下、この発明の好適な実施の形態を、添付図面等を参照しながら詳細に説明する。た
だし、各図において、各部の寸法及び縮尺は、実際のものと適宜に異ならせてある。また
、以下に述べる実施の形態は、本発明の好適な具体例であるから、技術的に好ましい種々
の限定が付されているが、本発明の範囲は、以下の説明において特に本発明を限定する旨
の記載がない限り、これらの形態に限られるものではない。
【００２０】
＜第１実施形態＞
本発明の第１実施形態について図１及び図２を参照しつつ説明する。図１は、本実施形
態の電子時計の外観を示す平面図である。
＜Ａ：電子時計の概要＞
図１に示す電子時計１００は、Ｂｌｕｅｔｏｏｔｈ４．０で統合されたＢｌｕｅｔｏｏ
ｔｈ Ｌｏｗ Ｅｎｅｒｇｙ（以下、Ｂｌｕｅｔｏｏｔｈ ＬＥとする。）の技術を用いて
携帯電話またはスマートフォン等との近距離無線通信が可能な電子時計である。
電子時計１００は、外装ケース８０を備えている。外装ケース８０は、金属で形成され
た円筒状のケース胴８１に、セラミックまたは金属で形成されたベゼル８２が嵌合されて
構成されている。なお、本実施形態では、外装ケースを２部品で構成したが、１部品で構
成するようにしてもよい。
【００２１】
ベゼル８２の内周側に、リング状のダイヤルリング８３を介して、円盤状の文字板１１
が配置され、この文字板１１上には、時刻を表示する指針１３や日付け等が配置されてい
る。指針１３は、時針１３ａと、分針１３ｂと、秒針１３ｃとから構成される。
外装ケース８０の表面側の開口は、ベゼル８２を介してカバーガラス８４で塞がれてお
り、カバーガラス８４を通じて、内部の文字板１１、指針１３（時針１３ａ、分針１３ｂ
、秒針１３ｃ）が視認可能となっている。
【００２２】
電子時計１００は、リュウズ１６を手動操作することにより、手動の時刻修正が可能で
あり、また、操作ボタン１７を手動操作することにより、通常の時刻表示モードと通信モ
ードとを切り替えることが可能に構成されている。通信モードの詳細については後述する
。
【００２３】
＜Ｂ：電子時計の電気的構成＞
本実施形態の電子時計１００は、図２に示すように、Ｂｌｕｅｔｏｏｔｈ ＬＥの規格
に従った無線通信を行う通信部２と、指針の駆動を制御する運針制御部３と、指針を駆動
する駆動部４と、時刻をカウントするカウンタ部６と、電力を供給する電力供給部７と、
リュウズ（竜頭）１６や操作ボタン１７などの外部入力装置８とを備えて構成されている
。
【００２４】
通信部２は、アンテナ２１と、時刻情報管理部２２と、無線通信部２３と、時刻データ
記憶回路部２４とを備えて構成されている。本実施形態では、通信部２は、Ｂｌｕｅｔｏ
ｏｔｈ ＬＥの規格に従った無線通信を行うので、周波数としては２．４ＧＨｚ帯を用い
る。
アンテナ２１は、無線通信部２３を実現するＩＣ（集積回路装置）に内蔵されるインダ
クター素子により実現してもよいし、ＩＣの外付け部品により実現しもてよい。
時刻情報管理部２２は、ＣＰＵ等により実現され、スマートフォン等の携帯機器との無
線通信により取得した時刻情報に基づいて、現在の時刻を時刻情報に基づく時刻に修正す
る処理を行う。また、時刻情報管理部２２は、スマートフォン等の携帯機器との無線通信
により電子時計１００の現在の時刻を携帯機器に送信するための処理を行う。詳しくは後
述する。
無線通信部２３は、ＢｌｕｅｔｏｏｔｈＬＥの規格に従った無線通信を行う専用のＩＣ
（集積回路装置）により実現される。無線通信部２３は、コンデンサ等で構成された同調
部及びパワーアンプ等で構成された送受信部を含む送受信回路部２３ａと、リンク層部及
び制御処理部を含む通信処理部２３ｂとを備える。送受信回路部２３ａは、後述するスマ
ートフォン等の携帯機器との無線による情報の送受信を行う。通信処理部２３ｂのリンク
層部は、リンク層の処理、すなわち、機器同士の論理的な接続に関する処理を行う。具体
的にはリンク層部は、パケットの生成処理、パケットの解析処理、パケットのバッファリ
ング処理、エラーチェック処理等を行う。通信処理部２３ｂの制御処理部は、Ｂｌｕｅｔ
ｏｏｔｈ ＬＥのプロトコル及びプロファイル等に基づいて、リンク層部、及び無線通信
部２３の全体の制御処理や、リンク層の上位の層（例えばネットワーク層、トランスポー
ト層、セッション層等）の処理を行う。通信処理部２３ｂの制御処理部の機能は、ＣＰＵ
等の各種プロセッサやＡＳＩＣ等のハードウェア回路や、このハードウェア回路上で動作
するプログラムなどにより実現できる。
時刻データ記憶回路部２４は、メモリ等で構成され、無線通信部２３で処理された時刻
データを記憶する。
【００２５】
運針制御部３は、図２に示すように、パルス合成回路３１からのパルス信号が入力され
る。パルス合成回路３１は、水晶振動子などの基準振動子３１１からの基準パルスを分周
してクロックパルスを生成し、また、基準パルスからパルス幅やタイミングの異なるパル
ス信号を発生させる。運針制御部３は、通常モード時においては、時刻情報管理部２２か
ら出力される時刻情報並びに前記クロックパルス及びパルス信号に基づいて、通常の時刻
表示のために指針の駆動を制御する。
【００２６】
運針制御部３は、通常モード時においては、一秒に一回出力され秒針を駆動させる秒駆
動パルス信号ＰＳ１と、一分間に一回出力され時分針を駆動させる時分駆動パルス信号Ｐ
Ｓ２とを、秒駆動回路４１、時分駆動回路４２に出力して、指針の駆動を制御する。すな
わち、各駆動回路４１，４２は、各駆動回路４１、４２からのパルス信号によって駆動さ
れるステッピングモータからなる秒モータ４１１，時分モータ４２１を駆動し、これによ
り各モータ４１１，４２１に接続された秒針１３ｃと、分針１３ｂ及び時針１３ａとを駆
動する。そして、各指針、モータ４１１，４２１、駆動回路４１，４２によって時刻を表
示する時刻表示部が構成されている。なお、時刻表示部としては、１つのモータで、時針
、分針、秒針を駆動するものでもよい。
【００２７】
カウンタ部６は、秒をカウントする秒カウンタ回路部６１と、時分をカウントする時分
カウンタ回路部６２とを備えて構成されている。
秒カウンタ回路部６１は、秒位置カウンタ６１１と、秒時刻カウンタ６１２と、一致検
出回路６１３とを備えて構成されている。秒位置カウンタ６１１及び秒時刻カウンタ６１
２はともに６０カウント、つまり１Ｈｚの信号が入力された場合には６０秒でループする
カウンタである。秒位置カウンタ６１１は、運針制御部３から秒駆動回路４１に供給され
る駆動パルス信号（秒駆動パルス信号ＰＳ１）をカウントしている。つまり、秒針を駆動
させる駆動パルス信号をカウントすることによって、秒針が示している秒針の位置をカウ
ントしている。
秒時刻カウンタ６１２は、通常は、運針制御部３から出力される１Ｈｚの基準パルス信
号（クロックパルス)をカウントする。また、時刻情報管理部２２から時刻修正指示が出
力された場合には、運針制御部３は、時刻データ記憶回路部２４から時刻データを読み取
り、この時刻データのうちの秒データに合わせてカウンタ値が修正される。
【００２８】
同様に、時分カウンタ回路部６２は、時分位置カウンタ６２１と、時分時刻カウンタ６
２２と、一致検出回路６２３とを備えて構成されている。時分位置カウンタ６２１および
時分時刻カウンタ６２２はともに２４時間分の信号が入力されるとループするカウンタで
ある。時分位置カウンタ６２１は、運針制御部３から時分駆動回路４２に供給される駆動
パルス信号（時分駆動パルス信号ＰＳ２）をカウントし、時針、分針が示している時分針
の位置をカウントしている。
時分時刻カウンタ６２２は、通常は、運針制御部３から出力される１Ｈｚのパルス（ク
ロックパルス)をカウントする（正確には１Ｈｚを６０回計数したところで１カウントと
する）。また、時刻情報管理部２２から時刻修正指示が出力された場合には、運針制御部
３は、時刻データ記憶回路部２４から時刻データを読み取り、この時刻データのうちの時
分データに合わせてカウンタ値が修正される。
【００２９】
各一致検出回路６１３，６２３は、各位置カウンタ６１１，６２１と各時刻カウンタ６
１２，６２２とのカウント値の一致を検出し、一致しているか否かを示す検出信号を運針
制御部３に出力する。
運針制御部３は、各一致検出回路６１３，６２３から不一致信号が入力されると、一致
信号が入力されるまで各駆動パルス信号ＰＳ１，ＰＳ２を出力し続ける。このため、通常
運針時は、運針制御部３から１Ｈｚの基準信号によって各時刻カウンタ６１２，６２２の
カウンタ値が変化して位置カウンタ６１１，６２１と不一致となると、各駆動パルス信号
ＰＳ１，ＰＳ２が出力されて各指針が動くとともに、各位置カウンタ６１１，６２１が時
刻カウンタ６１２，６２２と一致することになり、この動作を繰り返すことで、通常の運
針制御が行われる。
また、時刻データ記憶回路部２４から読み取った時刻データで各時刻カウンタ６１２，
６２２が修正されると、そのカウンタ値に各位置カウンタ６１１，６２１のカウンタ値が
一致するまで、各駆動パルス信号ＰＳ１，ＰＳ２が出力され続け、指針が早送りされて正
しい時刻に修正される。
【００３０】
電力供給部７は、自動巻発電機や太陽電池（ソーラー発電機）等によって構成された発
電装置７１と、発電装置７１で発電された電力を蓄電する高容量二次電源７２とを備えて
構成されている。高容量二次電源７２は、リチウムイオン電池のような二次電池が利用で
きる。なお、電力供給部７としては、銀電池等の一次電池を用いてもよい。
外部入力装置８は、リュウズ１６、操作ボタン１７を備え、受信動作や時刻合わせなど
を行うために利用される。また、通常モードと通信モードの切り替えは、操作ボタン１７
を押下することにより行う。
【００３１】
＜Ｃ：携帯機器の電気的構成＞
次に、本実施形態の電子時計１００と無線通信を行う電子機器としての携帯機器２００
の電気的構成について図３を参照しつつ説明する。なお、図３は電子時計１００と携帯機
器２００を備えた通信システムの電気的構成を示すブロック図であり、電子時計１００の
電気的構成を示すブロック図も併せて記載するが、簡単のために、電力供給部７及び外部
入力装置８の記載は省略している。また、秒カウンタ回路部６１及び時分カウンタ回路部
６２についても記載を簡略化している。
携帯機器２００は、携帯機器制御部２０１、記憶部２０２、表示部２０３、ＧＰＳ／Ｗ
ＬＡＮレシーバ２０４、及び近距離無線回路２０５を備えている。携帯機器２００の一例
としては、スマートフォン、携帯電話等が挙げられる。
【００３２】
ＧＰＳ／ＷＬＡＮレシーバ２０４は、アンテナ２０４ａを備え、アンテナ２０４ａを介
して、地球の上空を所定の軌道で周回している複数のＧＰＳ衛星３００から送信される衛
星信号を受信し、時刻情報や位置情報を取得する。また、ＧＰＳ／ＷＬＡＮレシーバ２０
４は、アンテナ２０４ａを介して無線ＬＡＮによる信号を受信する。
【００３３】
ＧＰＳ／ＷＬＡＮレシーバ２０４は、図示を省略するが、通常のＧＰＳ装置と同様に、
ＧＰＳ衛星３００から送信される衛星信号を受信してデジタル信号に変換するＲＦ（Radi
o Frequency）部と、受信信号の相関判定を実行して航法メッセージを復調するＢＢ部（
ベースバンプ部）と、ＢＢ部で復調された航法メッセージ（衛星信号）からＧＰＳ時刻情
報や位置情報（測位情報）を取得して出力する情報取得部とを備えている。ＧＰＳとＷＬ
ＡＮとでは周波数が異なるが、便宜上一つのアンテナ204aで両システムを表現している。
【００３４】
ＲＦ部は、バンドパスフィルター、ＰＬＬ回路、ＩＦフィルター、ＶＣＯ（Voltage Co
ntrolled Oscillator）、ＡＤＣ（Ａ／Ｄ変換器）、ミキサー、ＬＮＡ（Low Noise Ampli
fier）、ＩＦアンプ等を備えている。バンドパスフィルターで抜き出された衛星信号は、
ＬＮＡで増幅された後、ミキサーでＶＣＯの信号とミキシングされ、ＩＦ（Intermediate
Frequency：中間周波数）にダウンコンバートされる。ミキサーでミキシングされたＩＦ
は、ＩＦアンプ、ＩＦフィルターを通り、ＡＤＣでデジタル信号に変換される。
【００３５】
ＢＢ部は、ＧＰＳ衛星３００で送信時に使用されたものと同一のＣ／Ａコードからなる
ローカルコードを生成するローカルコード生成部と、ローカルコードとＲＦ部から出力さ
れる受信信号との相関値を算出する相関部とを備える。そして、相関部で算出された相関
値が所定の閾値以上であれば、受信した衛星信号に用いられたＣ／Ａコードと、生成した
ローカルコードとが一致していることになり、衛星信号を捕捉（同期）することができる
。このため、受信した衛星信号を、ローカルコードを用いて相関処理することで、航法メ
ッセージを復調することができる。
【００３６】
情報取得部は、ＢＢ部で復調した航法メッセージからＧＰＳ時刻情報や位置情報を取得
する。航法メッセージには、プリアンブルデータ及びＨＯＷワードのＴＯＷ（Time of We
ek、「Ｚカウント」ともいう）、各サブフレームデータが含まれている。サブフレームデ
ータは、サブフレーム１からサブフレーム５まであり、各サブフレームには、例えば、週
番号データや衛星健康状態データを含む衛星補正データ等や、エフェメリス（ＧＰＳ衛星
３００毎の詳細な軌道情報）や、アルマナック（全ＧＰＳ衛星３００の概略軌道情報）等
のデータが含まれている。したがって、情報取得部は、受信した航法メッセージから所定
のデータ部分を抽出することにより、ＧＰＳ時刻情報や航法情報を取得することができる
。
【００３７】
近距離無線回路２０５は、Ｂｌｕｅｔｏｏｔｈ ＬＥの規格に従った無線通信を行う専
用のＩＣ（集積回路装置）により実現される。近距離無線回路２０５は、アンテナ２０５
ａを備え、Ｂｌｕｅｔｏｏｔｈ ＬＥの規格に従って、例えば前記電子時計１００のよう
な電子機器との間で、無線通信を行う。図示を省略するが、近距離無線回路２０５におい
ても、電子時計１００の無線通信部２３と同様に、コンデンサ等で構成された同調部及び
パワーアンプ等で構成された送受信部を含む送受信回路部と、リンク層部及び制御処理部
を含む通信処理部とを備える。
【００３８】
記憶部２０２は、半導体メモリ等から構成され、携帯機器制御部２０１により実行され
るプログラム等が記憶される。また、記憶部２０２は、制御部２０１の作業領域として使
用される。プログラムには、電子時計１００との通信を行うためのプログラムとしてのア
プリケーションが含まれる。
【００３９】
携帯機器制御部２０１は、ＣＰＵ等の各種プロセッサやＡＳＩＣ等のハードウェア回路
や、このハードウェア回路上で動作するプログラムなどにより実現できる。携帯機器制御
部２０１は、携帯機器２００の全体の処理を制御し、例えば、ＧＰＳ／ＷＬＡＮレシーバ
２０４を介して取得したＧＰＳ時刻情報に基づいて時刻情報の表示処理等を行う。また、
携帯機器制御部２０１は、記憶部２０２に記憶されているアプリケーションプログラムを
実行することにより、前記電子時計１００のような電子機器との間で、無線通信を行うた
めの処理を行う。詳しくは後述する。
【００４０】
表示部２０３は、液晶ディスプレイパネル等により実現され、携帯機器制御部２０１に
より各種のプログラムが実行された際に、種々の表示を行う。また、表示部２０３は、タ
ッチパネルの機能を備えており、入力部としても機能する。
【００４１】
＜Ｄ：電子時計及び携帯機器の無線通信処理＞
次に、電子時計１００及び携帯機器２００との間の無線通信処理について、図４ないし
図９までの各図を参照しつつ説明する。図４は電子時計１００と携帯機器２００とが初め
て無線通信を行う場合の処理を示すフローチャートである。
まず、Ｂｌｕｅｔｏｏｔｈ ＬＥの規格に従って携帯機器２００と電子時計１００とが
初めて無線通信を開始する場合には、携帯機器２００側から見て電波が届く範囲にある電
子時計１００の発見と、この隣接機器のネットワークへの参加という処理が必要になる。
これらの処理を開始するには、携帯機器２００において電子時計１００との無線通信用の
アプリケーションプログラムを起動させる（図４：ステップＳ２０）。アプリケーション
プログラムを起動させると、携帯機器２００の表示部２０３には、例えば「電子時計を探
す」と示されたサーチボタンが表示される。
【００４２】
使用者がこのサーチボタンをタップすると、携帯機器２００の携帯機器制御部２０１は
、スキャニング（Ｓｃａｎｎｉｎｇ）と呼ばれる処理を行うべく近距離無線回路２０５を
制御する。具体的には、携帯機器２００の近距離無線回路２０５は、スキャニング（Ｓｃ
ａｎｎｉｎｇ）状態に遷移し、電子時計１００からのアドバタイング・パケットの受信を
待つ。
【００４３】
次に、使用者が、電子時計１００の操作ボタン１７を所定時間押下することにより、電
子時計１００は通常モードから通信モードに移行し（図４：ステップＳ１０）、電子時計
１００の無線通信部２３は、アドバタイジング（Ａｄｖｅｒｔｉｓｉｎｇ）状態に遷移し
、一定期間ごとにアドバタイジング・パケットを送信する。アドバタイジング・パケット
には、機器が持つ発見や接続の機能を示す情報、機器の名称、機器の送信電力、機器の機
能を示す情報等が含まれる。
【００４４】
携帯機器２００は、電子時計１００からのアドバタイング・パケットを受信すると、こ
の電子時計１００を接続先として決め、電子時計１００に対して接続要求を送信して、接
続を開始する。この時、携帯機器２００の表示部２０３には、例えば電子時計１００の型
名及び「未接続」の文字が示されたボタンが表示される。型名には、アドバタイジング・
パケットに含まれていた機器の名称が表示される。電子時計１００は、携帯機器２００か
らの接続要求を受信すると、この接続要求が自分宛てであることを確認して、接続を開始
する。
【００４５】
以上のように携帯機器２００と電子時計１００との間で接続が開始されると、接続相手
となる機器をお互いに登録するためのペアリング（Ｐａｉｒｉｎｇ）と呼ばれる処理が開
始され、互いの機器ＩＤ（Ｐｕｂｌｉｃ Ｋｅｙ）の交換、時刻データの交換、何秒に１
回通信を行うかを示すインターバル等の通信パラメータの交換が行われる。
【００４６】
図５は携帯機器２００と電子時計１００が通信状態にある場合のデータ送受信の態様を
示す図である。図６は、電子時計１００における通信状態と動作電圧の関係を示す図であ
る。図５に示すように、通信状態の携帯機器２００と電子時計１００は、インターバルＴ
で互いにデータの送信と受信を行うようになっている。図６に示すように、インターバル
Ｔのうち通信期間において電流が消費されるため、動作電圧は高容量二次電源７２の内部
インピーダンスに起因して低下するが、この値は無線通信部における各回路や、他の回路
等の動作電圧を下回らないように設計されることが望ましい。また、同時に、インターバ
ルＴのうち通信期間を除いた待機期間において、高容量二次電源７２が充電されるので、
インターバルＴは、電圧を回復できるよう適当な間隔であることが望ましい。
【００４７】
上述のような種々のデータの交換が行われると、ペアリングが完了し、次に、お互いの
機器を認証済みであることを示す接続情報が生成される。この接続情報は、携帯機器２０
０と電子時計１００との双方において登録され、接続完了となる（図４：ステップＳ１１
、ステップＳ２１）。
なお、接続情報が登録されて接続が完了すると、例えば携帯機器２００において無線通
信用のアプリケーションプログラムを終了させ、電子時計１００を通常の時刻表示モード
に戻した後に、再び無線通信用のアプリケーションプログラムを起動し、電子時計１００
を通信モードにして再接続を行った場合であっても、上述したペアリングの処理は行われ
ず、お互いに接続情報を確認することにより、無線通信が可能となる。
【００４８】
説明を図４のフローチャートに戻す。携帯機器２００は、電子時計１００との接続が完
了すると（図４：ステップＳ２１）、上述したペアリング時に取得した電子時計１００の
時刻データ（時計時刻情報）と、携帯機器２００におけるＧＰＳ時刻データ（基準時刻情
報）とに基づいて、時刻比較表示を行う（図４：ステップＳ２２）。
電子時計１００の時刻データ（時計時刻情報）は、電子時計１００の無線通信部２３に
よって送信され、携帯機器２００の近距離無線回路２０５によって受信されて取得される
。したがって、無線通信部２３は、前記時計時刻情報を電子機器として携帯機器２００に
送信する通信部として機能し、近距離無線回路２０５は、前記計時刻情報を電子時計１０
０から取得する取得部として機能する。また、時刻比較表示は、携帯機器２００の携帯機
器制御部２０１による制御によって実行される。したがって、携帯機器制御部２０１は、
前記基準時刻情報と前記時計時刻情報とを表示部２０３に表示させる制御部として機能す
る。
なお、上述した再接続時においては、ペアリングが行われないので、携帯機器２００か
ら電子時計１００に対して時刻データを送信するように指示し、電子時計１００から受信
した時刻データに基づいて時刻比較表示を行うようにすればよい。
【００４９】
図７に時刻比較表示の一例を示す。図７に示すように、携帯機器２００の表示部２０３
には、現在時刻デジタル表示欄２１０と、現在時刻アナログ表示欄２１１と、電子時計時
刻表示欄２１２とを備えている。
現在時刻デジタル表示欄２１０と現在時刻アナログ表示欄２１１には、携帯機器２００
におけるＧＰＳ時刻データに基づく現在時刻が表示される。現在時刻デジタル表示欄２１
０には現在時刻がデジタル表示され、現在時刻アナログ表示欄２１１には現在時刻がアナ
ログ表示される。また、電子時計時刻表示欄２１２には、電子時計１００から取得した電
子時計１００の時刻データに基づく時刻が表示される。
【００５０】
携帯機器２００は、ＧＰＳ時刻データと電子時計１００の時刻データとを比較し、ＧＰ
Ｓ時刻データに対する電子時計１００の時刻データのずれが予め定めた基準値を超える場
合には、電子時計時刻表示欄２１２における時計画像の色を例えば黄色等で表示すると共
に、“Ｃｏｒｒｅｃｔ Ｔｉｍｅ”等の文字を表示して、使用者に対して時刻修正の実行
を促す。図７は、時刻修正の実行を促す表示例を示している。
【００５１】
一方、携帯機器２００は、ＧＰＳ時刻データと電子時計１００の時刻データとを比較し
、ＧＰＳ時刻データに対する電子時計１００の時刻データのずれが予め定めた基準値以内
である場合には、電子時計時刻表示欄２１２における時計画像の色を例えば緑色等で表示
すると共に、“Ｔｉｍｅ ｉｓ ｋｅｅｐｉｎｇ”等の文字を表示して、使用者に対して電
子時計１００の時刻が適正時刻であることを示す。図９は、適正時刻の場合の表示例を示
している。
【００５２】
本実施形態では、図７のように使用者に対して時刻修正の実行を促す表示が行われ、使
用者が修正を希望する場合には、時計画像をタップすることにより（図４：ステップＳ２
３；ＹＥＳ）、携帯機器２００において時刻修正処理が実行される。携帯機器２００は、
電子時計１００に対してＧＰＳ時刻データと共に時刻修正指示を送る（図４：ステップＳ
２４）。
電子時計１００に対してＧＰＳ時刻データと共に時刻修正指示を送る処理は、携帯機器
２００の携帯機器制御部２０１の制御により実行される。したがって、携帯機器制御部２
０１は、表示部２０３に前記基準時刻情報と前記時計時刻情報とが表示されている状態で
、使用者が入力部としての表示部２０３を用いて前記時計時刻情報を前記基準時刻情報に
更新する指示を入力すると、前記時計時刻情報を前記基準時刻情報に更新する要求を電子
時計１００に送信するように近距離無線回路２０５を制御する制御部として機能する。
【００５３】
電子時計１００の無線通信部２３は、ＧＰＳ時刻データと共に時刻修正指示を受信する
と、ＧＰＳ時刻データを時刻データ記憶回路部２４に記憶させる。また、時刻情報管理部
２２は、時刻データ記憶回路部２４に記憶されたＧＰＳ時刻データに基づいて指針１３を
駆動するように運針制御部３に対して指示を行う。その結果、電子時計１００においてＧ
ＰＳ時刻データに基づく時刻修正が行われる（図４：ステップＳ１２）。
したがって、電子時計１００の無線通信部２３は、前記基準時刻情報を携帯機器２００
から受信する通信部として機能する。また、時刻情報管理部２２は、前記時計時刻情報の
前記基準時刻情報への更新の指示があった場合には、時刻修正を行う時刻情報管理部とし
て機能する。
【００５４】
携帯機器２００は、電子時計１００に対してＧＰＳ時刻データと共に時刻修正指示を送
った後、電子時計時刻表示欄２１２に、ＧＰＳ時刻データに基づく時刻を表示する（図４
：ステップＳ２５）。時刻修正処理が実行された際の電子時計時刻表示欄２１２の表示例
を図８に示す。“Ｃｏｒｒｅｃｔ Ｔｉｍｅ”の文字が表示された時計画像がタップされ
ると、携帯機器２００の携帯機器制御部２０１は、電子時計時刻表示欄２１２の表示を、
電子時計１００の時刻データに基づく表示から、ＧＰＳ時刻データに基づく時刻の表示に
変更し、電子時計時刻表示欄２１２における時計画像の色を例えば緑色等で表示すると共
に、 “Ｕｐｄａｔｅ”等の文字を表示して時刻修正処理が実行されたことを示す。した
がって、携帯機器制御部２０１は、前記基準時刻情報に更新した前記時計時刻情報を表示
部２０３に表示させる制御部として機能する。
【００５５】
携帯機器２００は、修正時刻表示を行った後（図４：ステップＳ２５）、あるいは、時
計画像のタップが行われなった場合には（図４：ステップＳ２３；ＮＯ）、電子時計１０
０との接続を継続するかどうかを判定する（図４：ステップＳ２６）。具体的には、携帯
機器２００は、通信用のアプリケーションプログラムの終了処理が行われなければ、電子
時計１００との接続を継続すると判定し（図４：ステップＳ２６；ＹＥＳ）、そのまま電
子時計１００との接続を継続する（図４：ステップＳ２７）。接続を継続した後は、例え
ばステップＳ２２の時刻比較表示の処理に戻り、所定期間ごとに電子時計１００から時刻
データを受信して、時刻比較表示を行う。また、携帯機器２００は、電子時計１００との
接続を継続すると判定した場合には（図４：ステップＳ２６；ＹＥＳ）、電子時計１００
に対して接続の継続を指示する（図４：ステップＳ２８）。
【００５６】
電子時計１００は、携帯機器２００との接続を継続するかどうかを判定し（図４：ステ
ップＳ１３）、携帯機器２００から接続継続の指示を受信した場合には、携帯機器２００
との接続を継続する（図４：ステップＳ１３；ＹＥＳ、ステップＳ１４）。具体的には、
携帯機器２００から指示に従って時刻データを送信すると共に、携帯機器２００から時刻
修正指示があった場合には時刻修正を行う（図４：ステップＳ２４、ステップＳ１２）。
【００５７】
一方、携帯機器２００は、通信用のアプリケーションプログラムの終了処理が行われた
場合には、電子時計１００との接続を継続しないと判定し（図４：ステップＳ２６；ＮＯ
）、通信用のアプリケーションプログラムを終了する。また、携帯機器２００は、電子時
計１００に対して、接続終了の指示を行う（図４：ステップＳ３０）。電子時計１００は
、携帯機器２００から接続終了の指示を受けると、通信モードを終了させる（図４：ステ
ップＳ１３；ＮＯ、ステップＳ１５）。
【００５８】
以上のように、本実施形態においては、携帯機器２００上でＧＰＳ時刻データに基づく
時刻表示と、電子時計１００の時刻データに基づく時刻表示とを比較表示させるので、電
子時計１００の時刻精度を使用者に対してわかり易く知らせることができる。また、使用
者の操作が行われた場合には、携帯機器２００から電子時計１００に対して時刻修正を指
示し、電子時計１００においてＧＰＳ時刻データに基づく時刻修正が行われるので、電子
時計１００においてＧＰＳ時刻データに基づく適切な時刻表示を行うことができる。
【００５９】
＜第２実施形態＞
本発明の第２実施形態について図１０を参照しつつ説明する。本実施形態においては、
第１実施形態の処理に加えて、電子時計の時刻精度計算を行う構成となっている。図１０
は、本実施形態における通信処理のフローチャートである。第１実施形態における図４の
フローチャートとの共通箇所には同一のステップ番号を付している。
本実施形態においては、図１０に示すように、時刻比較表示（図１０：ステップＳ２２
）を行った後に、携帯機器２００の携帯機器制御部２０１が電子時計１００の時刻精度を
計算して記憶する処理を行う（図１０：ステップＳ４０）。したがって、携帯機器制御部
２０１は、前記基準時刻情報と前記時計時刻情報と、直近に時刻修正が行われた時刻から
の経過時間とから、電子時計２０１の時刻精度を算出する制御部として機能する。
なお、時刻精度の計算は、最初に時刻データを交換した時点から一定時間以上後の通信
時に行うことが望ましい。
【００６０】
時刻精度は、ある時刻において電子時計１００から受信した時刻データに基づく時刻と
、その時の携帯機器２００のＧＰＳ時刻データに基づく時刻との差から計算する。
（数１）
時刻精度=（電子時計の時刻−携帯機器の時刻）÷ 経過時間
ここで、経過時間とは、直近の時刻修正を行った時刻からの経過時間である。
【００６１】
例えば、経過時間が２４時間（８６４００秒）であり、その時の時刻差が０．８６４秒
の場合には、
時刻精度=（０．８６４）÷ ８６４００＝１０×１０−６
となり、時刻精度は、１０ｐｐｍと計算される。携帯機器２００は、はこの値を電子時計
の時刻精度としてメモリ等に記憶しておく（図１０：ステップＳ４０）。
【００６２】
時刻精度が１０ｐｐｍの場合には、約２８時間でほぼ１秒のずれを生じると考えること
ができる。したがって、携帯機器２００は、電子時計１００との接続が行われていない場
合であっても、時刻精度から計算される時刻のずれが所定値以上になった際に、使用者に
対して時刻修正の実行を促すことができる。例えば、時刻精度から計算される時刻のずれ
が１分になった場合に、通信用のアプリケーションのアイコン上等にアラートを表示させ
、使用者に対して通信用のアプリケーションの起動を促すようにしてもよい。そして、使
用者が通信用のアプリケーションを起動すると、携帯機器２００上で時刻比較表示が行わ
れ（図１０：ステップＳ２２）、図７のような時刻修正を促す表示が行われることになる
。この時刻修正を促す表示は、携帯機器制御部２０１の制御により実行される。したがっ
て、携帯機器制御部２０１は、前記時刻精度に基づいて、前記時計時刻情報の前記基準時
刻情報への更新を促す表示を表示部２０３に表示させる制御部として機能する。
【００６３】
また、計算した時刻精度に基づいて、時刻のずれが一定以上に達しない範囲で、通信パ
ラメータを変更してもよい（図１０：ステップＳ４０）。例えば、インターバルＴを長い
時間に変更し、電子時計１００と携帯機器２００との通信の頻度を低くするようにしても
よい。通信パラメータを変更することにより、消費電力を低く抑えることができる。
【００６４】
＜第３実施形態＞
本発明の第３実施形態について図１１を参照しつつ説明する。第２実施形態においては
、時刻精度を計算した後に、計算した時刻精度に基づいて時刻修正を促す表示を行い、あ
るいは、通信パラメータを変更した。本実施形態は、さらに、計算した時刻精度に基づい
て、携帯機器２００上で電子時計１００の推定時刻を計算して表示する構成となっている
。
【００６５】
図１１は、本実施形態における通信処理及び表示処理のフローチャートである。図４に
示すフローチャートとの共通箇所には、同一のステップ番号を付している。図１１に示す
ように、通信用のアプリケーションが起動されると（図１１：ステップＳ５０）、携帯機
器２００は、電子時計１００が発見できたかどうかを判定する（図１１：ステップＳ５１
）。携帯機器２００は、電子時計１００が発見できた場合には（図１１：ステップＳ５１
；ＹＥＳ）、図１０に示すような通常の通信状態における処理を行う（図１１：ステップ
Ｓ５２）。
【００６６】
携帯機器２００は、電子時計１００が発見できなかった場合には（図１１：ステップＳ
５１；ＮＯ）、第２実施形態で説明した時刻精度と、直近の時刻修正を行った時刻からの
経過時間とに基づいて、電子時計１００の推定時刻を計算する（図１１：ステップＳ５３
）。そして、携帯機器２００は、ＧＰＳ時刻データに基づく時刻と、計算した推定時刻と
を表示部２０３に比較表示させる（図１１：ステップＳ５４）。
【００６７】
携帯機器２００は、ＧＰＳ時刻データに基づく時刻に対する、計算した推定時刻のずれ
が一定以上の場合には、上述した各実施形態と同様に、時刻修正の実行を促す表示を行う
。ここで、使用者が携帯機器２００上の時計画像をタップした場合には（図１１：ステッ
プＳ５５；ＹＥＳ）、携帯機器２００において電子時計時刻表示欄２１２の時刻を図８の
ようにＧＰＳ時刻データに基づく時刻に修正する（図１１：ステップＳ５６）。携帯機器
２００は、使用者による通信用のアプリケーションを終了させる処理が行われない場合に
は（図１１：ステップＳ５７；ＹＥＳ）、表示を継続する（図１１：ステップＳ５７）。
この後、使用者が電子時計１００を通信モードに設定した場合には、第１実施形態と同様
に、携帯機器２００から電子時計１００に対して、ＧＰＳ時刻データと時刻修正指示が送
信され、電子時計１００において時刻修正が行われることになる。
【００６８】
携帯機器２００は、使用者による通信用のアプリケーションを終了させる処理が行われ
た場合、あるいは、一定のタイムアウトの時間になった場合は（図１１：ステップＳ５７
；ＮＯ）、通信用のアプリケーションを終了させる（図１１：ステップＳ５９）。この後
、使用者が通信用のアプリケーションを再び起動させ、電子時計１００を通信モードに設
定した場合には、第１実施形態と同様に、携帯機器２００から電子時計１００に対して、
ＧＰＳ時刻データと時刻修正指示が送信され、電子時計１００において時刻修正が行われ
ることになる。
【００６９】
以上のように、本実施形態によれば、電子時計１００と携帯機器２００が接続されてい
ない場合であっても、携帯機器２０上で電子時計１００の推定時刻に基づく時刻修正の実
行を促すことができるので、電子時計１００の時刻を適切な時刻に維持することが可能と
なる。
【００７０】
＜変形例＞
本発明は、上述した実施形態に限定されるものではなく、例えば次に述べるような各種
の変形が可能である。また、次に述べる変形の態様は、任意に選択された一または複数を
、適宜に組み合わせることもできる。
【００７１】
（変形例１）
上述した各実施形態においては、携帯機器２００の電子時計時刻表示欄２１２に表示さ
れた時計画像をタップした時に時刻修正処理が実行される構成について説明した。しかし
ながら、本発明はこのような構成に限定される訳ではなく、例えば、図１２に示すように
、時計画像の右側にＹＥＳキー２１３とＮＯキー２１４を表示させ、ＹＥＳキー２１３が
タップされた際に時刻修正処理を実行するようにしてもよい。なお、図１２においては便
宜上、携帯機器２００及び携帯機器２００の表示部２０３を大きく表示している。
【００７２】
（変形例２）
上述した各実施形態及び変形例１においては、時刻修正処理において、電子時計１００
の時刻をＧＰＳ時刻データに基づく時刻に修正する構成について説明した。しかしながら
、本発明はこのような構成に限定される訳ではなく、使用者が設定する時刻に修正するよ
うにしてもよい。例えば、図１３に示すように、時計画像の右側にプラスキー２１５、マ
イナスキー２１６、及びフィニッシュキー２１７を表示させ、使用者にプラスキー２１５
またはマイナスキー２１６をタップさせることにより、使用者が希望する時刻に修正する
ようにしてもよい。この場合には、使用者がプラスキー２１５をタップすると時刻が進み
、マイナスキー２１６をタップすると時刻が遅れるように構成する。そして、使用者がフ
ィニッシュキー２１７をタップすると、携帯機器２００から電子時計１００に対して、使
用者が設定した時刻と、時刻修正の指示が送信され、電子時計１００において時刻修正が
行われことになる。また、携帯機器２００においては、図１３に示すように、電子時計時
刻表示欄２１２に表示させる時計画像を例えば緑色等で表示すると共に、“Ｕｐｄａｔｅ
”等の文字を表示させ、さらに使用者が設定した時刻を表示させて、時刻修正が行われた
ことを知らせるようにしてもよい。
【００７３】
また、図１４に示すように、電子時計時刻表示欄２１２において、長針２１８がアクテ
ィブであることを示すために文字板サイズより長く表示させ、使用者が長針２１８にタッ
プしながら時計回りあるいは反時計回りに移動可能に構成するようにしてもよい。このよ
うにして使用者が希望する時刻を設定し、その時刻に修正するようにしてもよい。
上述した各処理は、携帯機器２００の携帯機器制御部２０１の制御により実行される。
したがって、携帯機器制御部２０１は、前記基準時刻情報に対して使用者が設定した所定
時間だけずれた時刻を示す設定時刻情報を、前記基準時刻情報と共に、表示部２０３に表
示させる制御部として、また、前記時計時刻情報を前記設定時刻情報に更新する要求を電
子時計１００に送信するように近距離無線回路２０５を制御する制御部として機能する。
【００７４】
（変形例３）
上述した実施形態においては、時刻精度を計算して記憶する構成について説明したが、
記憶した時刻精度のデータに基づいて、日差、月差、年差を計算し、携帯機器２００の表
示部２０３に表示させるようにしてもよい。
【００７５】
（変形例４）
上述した実施形態において、電子時計時刻表示欄２１２に修正した時刻を表示させる際
には、修正前の時刻の表示から修正後の時刻の表示にすぐに切り替えるようにしてもよい
し、修正前の時刻から修正後の時刻まで、長針を移動させるようにしてもよい。あるいは
、長針を時計回りに１回転させる等の表示を行ってもよい。
【００７６】
（変形例５）
上述した実施形態及び各変形例においては、本発明をアナログ式の腕時計に適用したが
、本発明は、指針をデジタルで表示する腕時計、あるいは、置き時計、もしくは、掛け時
計等に適用可能である。さらに、車載用の時計の時刻修正を携帯機器２００を用いて行う
ようにしてもよい。
【００７７】
上述した本発明の各機能は、例えば、ＣＰＵ（中央処理装置）、メモリ（記憶装置）等
を備えたコンピュータにプログラムを組み込んで実現させてもよい。なお、このプログラ
ムは、インターネット等の通信手段や、ＣＤ−ＲＯＭ、メモリカード等の記録媒体を介し
てインストールされてもよい。
【００７８】
上述した実施形態及び各変形例においては、近距離無線通信の例として、Ｂｌｏｏｔｈ
ＬＥの規格に従った無線通信を用いたが、本発明はこのような構成に限定されるもので
はなく、他の近距離無線通信を用いた場合にも適用可能である。
【符号の説明】
【００７９】
１３…指針、１３ａ…時針、１３ｂ…分針、１３ｃ…秒針、１６…リュウズ、１７…操
作ボタン、２１…アンテナ、２２…時刻情報管理部、２３…無線通信部、２３ａ…送受信
回路部、２３ｂ…通信処理部、１００…電子時計、２００…携帯機器、２０１…携帯機器
制御部、２０３…表示部、２０４…ＧＰＳ／ＷＬＡＮレシーバ、２０４ａ…アンテナ、２
０５…近距離無線回路、２０５ａ…アンテナ、２１０…現在時刻デジタル表示欄、２１１
…現在時刻アナログ表示欄、２１２…電子時計時刻表示欄、２１５…プラスキー、２１６
…マイナスキー、２１７…フィニッシュキー、２１８…長針。
【図１】
2015184102.tif 000003
【図２】
2015184102.tif 000004
【図３】
2015184102.tif 000005
【図４】
2015184102.tif 000006
【図５】
2015184102.tif 000007
【図６】
2015184102.tif 000008
【図７】
2015184102.tif 000009
【図８】
2015184102.tif 000010
【図９】
2015184102.tif 000011
【図１０】
2015184102.tif 000012
【図１１】
2015184102.tif 000013
【図１２】
2015184102.tif 000014
【図１３】
2015184102.tif 000015
【図１４】
2015184102.tif 000016